(57)【要約】【課題】  ３倍程度のズーム比を実現しつつ、諸収差が良好に補正され、アイレリーフが十分長く、低倍側での見掛け視界を４０゜以上確保することができるようにする。【解決手段】  アイポイントＥ．Ｐ側から順に、正の屈折力を有する第１レンズ群Ｇ１と、正の屈折力を有する第２レンズ群Ｇ２と、負の屈折力を有する第３レンズ群Ｇ３とを備える。第１レンズ群Ｇ１は正の接合レンズにより構成され、アイポイントＥ．Ｐ側の面がアイポイントＥ．Ｐ側に凹面を向け、かつ物体側の面が物体側に凸面を向けている。第２レンズ群Ｇ２は、アイポイントＥ．Ｐ側から順に１枚以上の正レンズＬ２１Ａ，Ｌ２１Ｂと正の接合レンズとで構成され、その接合レンズはアイポイントＥ．Ｐ側から順に、アイポイントＥ．Ｐ側に凸面を向けた負メニスカスレンズＬ２２と物体側に凹面を向けた正メニスカスレンズＬ２３とからなる。【選択図】      図１
2006208559.tif 000002
【特許請求の範囲】
【請求項１】
アイポイント側から順に、正の屈折力を有する第１レンズ群と、正の屈折力を有する第２レンズ群と、負の屈折力を有する第３レンズ群とを備え、
前記第２レンズ群と前記第３レンズ群とを光軸上で互いに逆方向に移動させることにより変倍が行われるようになされ、
前記第１レンズ群は、アイポイント側の面がアイポイント側に凹面を向け、かつ物体側の面が物体側に凸面を向けた正の接合レンズにより構成され、
前記第２レンズ群は、アイポイント側から順に１枚以上の正レンズと正の接合レンズとで構成され、その接合レンズはアイポイント側から順に、アイポイント側に凸面を向けた負メニスカスレンズと物体側に凹面を向けた正メニスカスレンズとからなる
ことを特徴とする接眼ズームレンズ。
【請求項２】
前記第１レンズ群の正の接合レンズは、アイポイント側から順に、アイポイント側に凹面を向けた正メニスカスレンズと物体側に凸面を向けた負メニスカスレンズとからなり、
前記第３レンズ群は、アイポイント側から順に両凹レンズと物体側に凹面を向けた正メニスカスレンズとからなる負の接合レンズで構成されている
ことを特徴とする請求項１に記載の接眼ズームレンズ。
【請求項３】
さらに、以下の条件式（１）〜（３）を満足するように構成されている
ことを特徴とする請求項２に記載の接眼ズームレンズ。
２．０＜ｆ１／ｆｍ＜４．０  ……（１）
１．０＜ｆ２／ｆｍ＜１．５  ……（２）
−１．５＜ｆ３／ｆｍ＜−１．０  ……（３）
ただし、
ｆ１：第１レンズ群の焦点距離
ｆ２：第２レンズ群の焦点距離
ｆ３：第３レンズ群の焦点距離
ｆｍ：接眼ズームレンズとしての全系の最長焦点距離
【請求項４】
前記第２レンズ群は、アイポイント側から順に２枚の正レンズと正の接合レンズとで構成され、その接合レンズにおける正レンズのアッベ数νがν＞７０を満足する
ことを特徴とする請求項３に記載の接眼ズームレンズ。
【請求項５】
物体側から順に対物レンズと接眼ズームレンズとを備えたフィールドスコープであって、
前記接眼ズームレンズは、
アイポイント側から順に、正の屈折力を有する第１レンズ群と、正の屈折力を有する第２レンズ群と、負の屈折力を有する第３レンズ群とを備え、
前記第２レンズ群と前記第３レンズ群とを光軸上で互いに逆方向に移動させることにより変倍が行われるようになされ、
前記第１レンズ群は、アイポイント側の面がアイポイント側に凹面を向け、かつ物体側の面が物体側に凸面を向けた正の接合レンズにより構成され、
前記第２レンズ群は、アイポイント側から順に１枚以上の正レンズと正の接合レンズとで構成され、その接合レンズはアイポイント側から順に、アイポイント側に凸面を向けた負メニスカスレンズと物体側に凹面を向けた正メニスカスレンズとからなる
ことを特徴とするフィールドスコープ。
【発明の詳細な説明】
【技術分野】
【０００１】
本発明は、望遠鏡や双眼鏡等に用いられる接眼ズームレンズ、および野鳥観察等に使用されるフィールドスコープに関する。
【背景技術】
【０００２】
望遠鏡や双眼鏡等に用いられる接眼ズームレンズとして、特許文献１には、全体として３群構成でズーム比３倍を実現したレンズ系が記載されている。この接眼ズームレンズ系は、第１レンズ群が、アイポイント側から順に両凹レンズと両凸レンズとからなる接合レンズで構成されている。第２レンズ群Ｇ２は、アイポイント側から順に、両凸レンズおよびアイポイント側に凹面を向けた負のメニスカスレンズからなる接合レンズと正の単レンズとで構成されている。第３レンズ群Ｇ３は、負のレンズを含む１枚ないし２枚のレンズからなる。
【特許文献１】特許第３５０３９１１号公報
【発明の開示】
【発明が解決しようとする課題】
【０００３】
特許文献１に記載の接眼ズームレンズ系は、３倍のズーム比を実現しつつ良好な性能を有しているものの、低倍側（接眼ズームレンズとして長焦点側）での見掛け視界が４０゜程度にとどまっており、より広い視界を得たい場合には性能的に不十分である。また、特に中間域においてアイレリーフの長さが不十分である。さらに、歪曲収差が大きめで改善の余地がある。
【０００４】
本発明はかかる問題点に鑑みてなされたもので、その目的は、３倍程度のズーム比を実現しつつ、諸収差が良好に補正され、アイレリーフが十分長く、低倍側での見掛け視界を４０゜以上確保することができる接眼ズームレンズおよびフィールドスコープを提供することにある。
【課題を解決するための手段】
【０００５】
本発明による接眼ズームレンズは、アイポイント側から順に、正の屈折力を有する第１レンズ群と、正の屈折力を有する第２レンズ群と、負の屈折力を有する第３レンズ群とを備え、第２レンズ群と第３レンズ群とを光軸上で互いに逆方向に移動させることにより変倍が行われるようになされている。第１レンズ群は、アイポイント側の面がアイポイント側に凹面を向け、かつ物体側の面が物体側に凸面を向けた正の接合レンズにより構成されている。第２レンズ群は、アイポイント側から順に１枚以上の正レンズと正の接合レンズとで構成され、その接合レンズはアイポイント側から順に、アイポイント側に凸面を向けた負メニスカスレンズと物体側に凹面を向けた正メニスカスレンズとからなる。
【０００６】
本発明によるフィールドスコープは、物体側から順に対物レンズと接眼ズームレンズとを備え、接眼ズームレンズとして、上記本発明による接眼ズームレンズを備えたものである。
【０００７】
本発明による接眼ズームレンズおよびフィールドスコープでは、全体として３群構成の接眼ズームレンズ系において、各群の構成を適切なものとしたことで、３倍程度のズーム比を実現しつつ、諸収差が良好に補正され、アイレリーフが十分長く、低倍側での見掛け視界が４０゜以上確保される。
そしてさらに、要求される仕様等に応じて次の好ましい条件を適宜採用して満足することで、それらの性能をより良好なものとすることができる。
【０００８】
本発明による接眼ズームレンズにおいて、第１レンズ群の正の接合レンズは、アイポイント側から順に、アイポイント側に凹面を向けた正メニスカスレンズと物体側に凸面を向けた負メニスカスレンズとからなることが好ましい。第３レンズ群は、アイポイント側から順に両凹レンズと物体側に凹面を向けた正メニスカスレンズとからなる負の接合レンズで構成されていることが好ましい。
【０００９】
また、以下の条件式（１）〜（３）を満足するように構成されていることが好ましい。式中、ｆ１は第１レンズ群の焦点距離、ｆ２は第２レンズ群の焦点距離、ｆ３は第３レンズ群の焦点距離、ｆｍは接眼ズームレンズとしての全系の最長焦点距離を示す。
２．０＜ｆ１／ｆｍ＜４．０  ……（１）
１．０＜ｆ２／ｆｍ＜１．５  ……（２）
−１．５＜ｆ３／ｆｍ＜−１．０  ……（３）
【００１０】
本発明による接眼ズームレンズにおいて、第２レンズ群は、アイポイント側から順に２枚の正レンズと正の接合レンズとで構成され、その接合レンズにおける正レンズのアッベ数νがν＞７０を満足することが好ましい。
【発明の効果】
【００１１】
本発明の接眼ズームレンズまたはフィールドスコープによれば、アイポイント側から順に、正の屈折力を有する第１レンズ群と、正の屈折力を有する第２レンズ群と、負の屈折力を有する第３レンズ群とを備え、第２レンズ群と第３レンズ群とを光軸上で互いに逆方向に移動させることにより変倍が行われるようになされた接眼ズームレンズにおいて、各群の構成を適切に設定するようにしたので、３倍程度のズーム比を実現しつつ、諸収差が良好に補正され、アイレリーフが十分長く、低倍側での見掛け視界を４０゜以上確保することができる。
【発明を実施するための最良の形態】
【００１２】
以下、本発明の実施の形態について図面を参照して詳細に説明する。
図１（Ａ），（Ｂ）は、本発明の一実施の形態に係る接眼ズームレンズ１０の第１の構成例を示している。この構成例は、後述の第１の数値実施例（図５（Ａ），（Ｂ））のレンズ構成に対応している。特に図１（Ａ）はこの接眼ズームレンズ系単体での最長焦点距離状態（後述する対物レンズ２０と組み合わせた望遠鏡光学系全体としての低倍側）でのレンズ配置を示し、図１（Ｂ）はこの接眼ズームレンズ系単体での最短焦点距離状態（後述する対物レンズ２０と組み合わせた望遠鏡光学系全体としての高倍側）でのレンズ配置を示している。また、図２（Ａ），（Ｂ）は、第２の構成例を示している。この構成例は、後述の第２の数値実施例（図６（Ａ），（Ｂ））のレンズ構成に対応している。図３（Ａ），（Ｂ）は、第３の構成例を示している。この構成例は、後述の第３の数値実施例（図７（Ａ），（Ｂ））のレンズ構成に対応している。特に図２（Ａ），図３（Ａ）は最長焦点距離状態（低倍側）でのレンズ配置を示し、図２（Ｂ），図３（Ｂ）は最短焦点距離状態（高倍側）でのレンズ配置を示す。これらの図において、Ｅ．Ｐはアイポイント、Ｉは後述する対物レンズ単独による物体像（対物像）を示す。符号Ｒｉは、最もアイポイントＥ．Ｐ側の構成要素の面を１番目として、物体側（対物側）に向かうに従い順次増加するようにして符号を付したｉ番目の面の曲率半径を示す。符号ＤＡ，ＤＢは、変倍に伴って変化する部分の面間隔を示す。なお、各構成例共に基本的な構成は同じなので、以下では図１（Ａ），（Ｂ）に示した第１の構成例の接眼ズームレンズ１０を基本にして説明する。
【００１３】
この接眼ズームレンズ１０は、例えばフィールドスコープなどの望遠鏡光学系の接眼部として用いて好適なものである。望遠鏡光学系の一例として、フィールドスコープとして構成した場合の光学系全体の構成例を図４に示す。図４に示した構成例は、後述の第４の数値実施例（図９）のレンズ構成に対応している。なお、図４では、接眼ズームレンズ１０を図１（Ａ）に示した最長焦点距離状態（フィールドスコープとして低倍側）とした場合でのレンズ配置を示している。ただし、図４では、光軸Ｚ１上において左側を物体側、右側をアイポイントＥ．Ｐ側としており、接眼ズームレンズ１０の配置関係が図１（Ａ）に示した状態とは逆向きとなっている。
【００１４】
このフィールドスコープは、物体側から順に対物レンズ２０と、正立プリズム３０と、接眼ズームレンズ１０とを備えている。対物レンズ２０は物体側から順に、物体側に凸面を向けた負メニスカスレンズ２１と両凸レンズ２２とで構成されている。正立プリズム３０は、第１および第２のプリズム３１，３２よりなり、対物レンズ２０によって倒立された光学像を正立像に変換する機能を有している。正立プリズム３０によって正立像とされた対物レンズ２０による物体像Ｉが、接眼ズームレンズ１０によって拡大観察される。
【００１５】
なお、本実施の形態に係るフィールドスコープの特徴部分は接眼ズームレンズ１０の構成にあり、対物側の構成は図４に示した例に限定されず、レンズ枚数やそのレンズ形状、およびプリズムの配置などに関して、他の構成をとり得る。また、本実施の形態に係る接眼ズームレンズ１０はフィールドスコープに限らず、望遠鏡光学系全般に適用可能である。
【００１６】
接眼ズームレンズ１０は、図１（Ａ），（Ｂ）に示したように、光軸Ｚ１に沿ってアイポイントＥ．Ｐ側から順に、正の屈折力を有する第１レンズ群Ｇ１と、正の屈折力を有する第２レンズ群Ｇ２と、負の屈折力を有する第３レンズ群Ｇ３とを備えており、第２レンズ群Ｇ２と第３レンズ群Ｇ３との間に焦点面を持っている。
【００１７】
この接眼ズームレンズ１０は、第２レンズ群Ｇ２と第３レンズ群Ｇ３とを変倍群として光軸Ｚ１に沿って互いに逆方向に移動させることにより、焦点距離を連続的に変化させ、変倍を行うようになっている。この場合、図示したように第２レンズ群Ｇ２と第３レンズ群Ｇ３との間の間隔ＤＢが広がるように移動させることで、この接眼ズームレンズ１０単体での焦点距離を短くすることができる。第１レンズ群Ｇ１は変倍時には固定となっている。
【００１８】
第１レンズ群Ｇ１は、アイポイントＥ．Ｐ側の面がアイポイントＥ．Ｐ側に凹面を向け、かつ物体側の面が物体側に凸面を向けた正の接合レンズにより構成されている。これにより、全体として物体側に凸面を向けた正のメニスカス形状とされている。より具体的には、接合レンズが、アイポイントＥ．Ｐ側から順に、アイポイントＥ．Ｐ側に凹面を向けた正メニスカスレンズＬ１１と物体側に凸面を向けた負メニスカスレンズＬ１２とからなることが好ましい。
【００１９】
第２レンズ群Ｇ２は、アイポイントＥ．Ｐ側から順に１枚以上の正レンズと正の接合レンズとで構成されている。その接合レンズはアイポイントＥ．Ｐ側から順に、アイポイントＥ．Ｐ側に凸面を向けた負メニスカスレンズＬ２２と物体側に凹面を向けた正メニスカスレンズＬ２３とからなる。これにより接合レンズは全体として物体側に凹面を向けた正のメニスカス形状とされている。第２レンズ群Ｇ２は、より具体的には、アイポイントＥ．Ｐ側から順に２枚の正レンズＬ２１Ａ，Ｌ２１Ｂと正の接合レンズとで構成され、その接合レンズにおける正レンズＬ２３のアッベ数νがν＞７０を満足することが好ましい。正レンズＬ２１Ａ，Ｌ２１Ｂは、両凸もしくは平凸形状であることが好ましい。なお、図３の第３の構成例の接眼ズームレンズ１０Ｂでは、第２レンズ群Ｇ２において、接合レンズよりもアイポイントＥ．Ｐ側に両凸形状の正レンズＬ２１を１枚のみ配置した構成となっている。
【００２０】
第３レンズ群Ｇ３は、アイポイントＥ．Ｐ側から順に両凹レンズＬ３１と物体側に凹面を向けた正メニスカスレンズＬ３２とからなる負の接合レンズで構成されていることが好ましい。
【００２１】
この接眼ズームレンズ１０は、以下の条件式（１）〜（３）を満足していることが好ましい。式中、ｆ１は第１レンズ群Ｇ１の焦点距離、ｆ２は第２レンズ群Ｇ２の焦点距離、ｆ３は第３レンズ群Ｇ３の焦点距離、ｆｍは接眼ズームレンズ１０としての全系の最長焦点距離を示す。
２．０＜ｆ１／ｆｍ＜４．０  ……（１）
１．０＜ｆ２／ｆｍ＜１．５  ……（２）
−１．５＜ｆ３／ｆｍ＜−１．０  ……（３）
【００２２】
次に、以上のように構成された接眼ズームレンズ１０の作用および効果を説明する。
【００２３】
この接眼ズームレンズ１０では、各群に接合レンズを効果的に配置して各群での色収差の発生を抑えつつ、各群の構成を適切なものとすることで、画角周辺での諸収差を効果的に補正し、低倍側での見掛け視界を４０゜以上確保している。
【００２４】
この接眼ズームレンズ１０において、第１レンズ群Ｇ１を全体として物体側に凸面を向けた正のメニスカス形状の接合レンズとし、その接合レンズを、アイポイントＥ．Ｐ側に凹面を向けた正メニスカスレンズＬ１１と物体側に凸面を向けた負メニスカスレンズＬ１２とで構成することで、周辺画角での色収差やコマ収差の発生が抑えられる。
【００２５】
また、第２レンズ群Ｇ２における接合レンズを、全体として物体側に凹面を向けた正のメニスカス形状とすることで、物体側から入射した軸外の光線をはね上げ、アイレリーフを延ばしている。また、光線を上げることで、非点収差の補正をしている。また、第２レンズ群Ｇ２において、接合レンズよりもアイポイントＥ．Ｐ側に２枚の正レンズＬ２１Ａ，２１Ｂを配置することで、画角端部まで良好に収差を補正することができる。さらに、第２レンズ群Ｇ２において接合レンズ内の正レンズＬ２３のアッベ数νをν＞７０とすることで、第２レンズ群Ｇ２内の色収差がより良好に補正され、特に変倍時の色収差の変動や非点収差の変動をより効果的に抑えることができる。
【００２６】
また、第３レンズ群Ｇ３を、アイポイントＥ．Ｐ側から順に両凹レンズＬ３１と物体側に凹面を向けた正メニスカスレンズＬ３２とからなる負の接合レンズで構成することで、歪曲収差の発生を抑えることができる。
【００２７】
条件式（１）は、第１レンズ群Ｇ１のパワー（屈折力）の適切な範囲を規定している。条件式（１）の上限値を上回ると、第１レンズ群Ｇ１のパワーが弱くなりすぎてしまう。この場合、相対的に第２レンズ群Ｇ２のパワーが強くなり、収差のバランスが崩れる。特に、非点収差、歪曲収差が大きくなる。また、周辺光束の光軸方向への屈折量が少なくなるため、第２レンズ群Ｇ２の有効径が大きくなってしまう。逆に下限値を下回ると、第１レンズ群Ｇ１のパワーが強くなりすぎてしまう。この場合、第１レンズ群Ｇ１での収差補正が困難となる。特にコマ収差が大きくなり、また、色収差のバランスが崩れる。
【００２８】
条件式（２）は、第２レンズ群Ｇ２のパワーの適切な範囲を規定している。条件式（２）の上限値を上回ると、第２レンズ群Ｇ２のパワーが弱くなりすぎてしまう。この場合、第２レンズ群Ｇ２の変倍のための移動量が大きくなるので好ましくない。逆に下限値を下回ると、第２レンズ群Ｇ２のパワーが強くなりすぎてしまう。この場合、第２レンズ群Ｇ２での収差補正が困難となり、非点収差や歪曲収差が大きくなる。
【００２９】
条件式（３）は、第３レンズ群Ｇ３のパワーの適切な範囲を規定している。条件式（３）の上限値を上回ると、第３レンズ群Ｇ３の負のパワーが強くなりすぎてしまう。この場合、相対的に第２レンズ群Ｇ２のパワーが強くなり、収差のバランスが崩れる。逆に下限値を下回ると、第３レンズ群Ｇ３の負のパワーが弱くなりすぎてしまう。この場合、第３レンズ群Ｇ３の変倍のための移動量が大きくなるので好ましくない。さらに相対的に第２レンズ群Ｇ２のパワーが弱くなるので、第２レンズ群Ｇ２の変倍時の移動量も大きくなり、アイレリーフが十分に確保できなくなるので好ましくない。
【００３０】
以上説明したように、本実施の形態に係る接眼ズームレンズ１０およびフィールドスコープによれば、全体として３群構成の接眼ズームレンズ系において各群の構成を適切なものとするようにしたので、３倍程度のズーム比を実現しつつ、諸収差が良好に補正され、アイレリーフが十分長く、低倍側での見掛け視界を４０゜以上確保することができる。
【実施例】
【００３１】
次に、本実施の形態に係る接眼ズームレンズおよびフィールドスコープの具体的な数値実施例について説明する。
【００３２】
＜実施例１〜３＞
まず、接眼ズームレンズの数値実施例を説明する。図５（Ａ），（Ｂ）は、図１（Ａ），（Ｂ）に示した接眼ズームレンズ１０の構成に対応する具体的なレンズデータ（実施例１）を示している。図６（Ａ），（Ｂ）は、図２（Ａ），（Ｂ）に示した接眼ズームレンズ１０Ａの構成に対応する具体的なレンズデータ（実施例２）を示している。図７（Ａ），（Ｂ）は、図３（Ａ），（Ｂ）に示した接眼ズームレンズ１０Ｂの構成に対応する具体的なレンズデータ（実施例３）を示している。各実施例について、図５（Ａ），図６（Ａ），図７（Ａ）には基本的なレンズデータを示し、図５（Ｂ），図６（Ｂ），図７（Ｂ）にはその他のレンズデータを示す。
【００３３】
図５（Ａ），図６（Ａ），図７（Ａ）に示したレンズデータにおける面番号Ｓｉの欄には、各実施例に係る接眼ズームレンズについて、最もアイポイントＥ．Ｐ側の構成要素の面を１番目として、物体側に向かうに従い順次増加するようにして符号を付したｉ番目（ｉ＝１〜１３もしくは１〜１１）の面の番号を示している。曲率半径Ｒｉの欄には、図１（Ａ）〜図３（Ａ）において付した符号Ｒｉに対応させて、アイポイントＥ．Ｐ側からｉ番目の面の曲率半径の値を示す。面間隔Ｄｉの欄についても、同様にアイポイントＥ．Ｐ側からｉ番目の面Ｓｉとｉ＋１番目の面Ｓｉ＋１との光軸上の間隔を示す。曲率半径Ｒｉおよび面間隔Ｄｉの値の単位はミリメートル（ｍｍ）である。Ｎｄｉの欄には、アイポイントＥ．Ｐ側からｊ番目（ｊ＝１〜８もしくは１〜７）のレンズ要素のｄ線（５８７．６ｎｍ）に対する屈折率の値を示す。νｄｊの欄には、アイポイントＥ．Ｐ側からｊ番目のレンズ要素のアッベ数の値を示す。
図５（Ａ）から分かるように、実施例１に係る接眼ズームレンズ１０については、第２レンズ群Ｇ２の接合レンズにおける正レンズＬ２３のアッベ数νｄ６が、νｄ６＞７０を満足している。
【００３４】
各実施例に係る接眼ズームレンズは、変倍に伴って第２レンズ群Ｇ２および第３レンズ群Ｇ３が光軸上を移動するため、これらの各群の前後の面間隔ＤＡ（Ｄ３），ＤＢ（Ｄ１０もしくはＤ８）の値は可変となっている。図５（Ｂ），図６（Ｂ），図７（Ｂ）には、これらの面間隔ＤＡ，ＤＢの変倍時のデータとして、最長焦点距離状態（低倍側）、中間焦点距離状態および最短焦点距離状態（高倍側）における値を示す。図５（Ｂ），図６（Ｂ），図７（Ｂ）にはまた、各焦点距離状態での焦点距離ｆの値（ｍｍ）、画角（見掛け視界）２ωの値、バックフォーカスＢｆ（最も物体側のレンズ面から対物像Ｉまでの距離）の値、およびアイレリーフの値も記す。図５（Ｂ），図６（Ｂ），図７（Ｂ）から分かるように、各実施例に係る接眼ズームレンズについて、アイレリーフが十分長く、低倍側での見掛け視界２ωが４０゜以上確保されている。また、３倍程度のズーム比が実現されている。
【００３５】
図８には、上述の条件式（１）〜（３）に関する値を、各実施例についてまとめたものを示す。図９から分かるように、各実施例の値が、各条件式（１）〜（３）の数値範囲内となっている。
【００３６】
図１０（Ａ）〜（Ｄ）はそれぞれ、実施例１に係る接眼ズームレンズ１０における最長焦点距離状態（低倍側）での球面収差、非点収差、ディストーション（歪曲収差）、および倍率色収差を示している。図１２（Ａ）〜（Ｄ）はそれぞれ、中間焦点距離状態における同様の各収差を示している。図１４（Ａ）〜（Ｄ）はそれぞれ、最短焦点距離状態（高倍側）における同様の各収差を示している。
図１１（Ａ）〜（Ｇ）は、実施例１に係る接眼ズームレンズ１０における最長焦点距離状態（低倍側）でのコマ収差を示している。特に図１１（Ａ）〜（Ｄ）はタンジェンシャル方向のコマ収差、図１１（Ｅ）〜（Ｇ）はサジタル方向のコマ収差を示す。図１３（Ａ）〜（Ｇ）はそれぞれ、中間焦点距離状態における同様のコマ収差を示している。図１５（Ａ）〜（Ｇ）はそれぞれ、最短焦点距離状態（高倍側）における同様のコマ収差を示している。
各収差図には、ｄ線を基準波長とした収差を示すが、球面収差図および倍率色収差図には、Ｆ線（波長４８６．１ｎｍ），Ｃ線（波長６５６．３ｎｍ）についての収差も示す。非点収差図において、実線はサジタル方向、破線はタンジェンシャル方向の収差を示す。ＦＮＯ．はＦ値、ωは半画角を示す。
【００３７】
同様に、実施例２についての最長焦点距離状態での諸収差を図１６（Ａ）〜（Ｄ）および図１７（Ａ）〜（Ｇ）に、中間焦点距離状態での諸収差を図１８（Ａ）〜（Ｄ）および図１９（Ａ）〜（Ｇ）に、最短焦点距離状態での諸収差を図２０（Ａ）〜（Ｄ）および図２１（Ａ）〜（Ｇ）に示す。
同様に、実施例３についての最長焦点距離状態での諸収差を図２２（Ａ）〜（Ｄ）および図２３（Ａ）〜（Ｇ）に、中間焦点距離状態での諸収差を図２４（Ａ）〜（Ｄ）および図２５（Ａ）〜（Ｇ）に、最短焦点距離状態での諸収差を図２６（Ａ）〜（Ｄ）および図２７（Ａ）〜（Ｇ）に示す。
【００３８】
以上の各数値データおよび各収差図から分かるように、各実施例について、３倍程度のズーム比を実現しつつ、諸収差が良好に補正され、アイレリーフが十分長く、低倍側での見掛け視界が４０゜以上確保された接眼ズームレンズが実現できている。
【００３９】
＜実施例４＞
次に、フィールドスコープの具体的な数値実施例を説明する。図９は、図４に示したフィールドスコープの構成に対応する具体的なレンズデータを示している。図９に示したレンズデータにおける面番号Ｓｉの欄には、最も物体側の構成要素の面を１番目として、アイポイントＥ．Ｐ側に向かうに従い順次増加するようにして符号を付したｉ番目（ｉ＝１〜２１）の面の番号を示している。曲率半径Ｒｉの欄には、物体側からｉ番目の面の曲率半径の値を示す。面間隔Ｄｉの欄についても同様に、物体側からｉ番目の面Ｓｉとｉ＋１番目の面Ｓｉ＋１との光軸上の間隔を示す。曲率半径Ｒｉおよび面間隔Ｄｉの値の単位はミリメートル（ｍｍ）である。Ｎｄｉの欄には、物体側からｊ番目（ｊ＝１〜１２）のレンズ要素のｄ線（５８７．６ｎｍ）に対する屈折率の値を示す。νｄｊの欄には、物体側からｊ番目のレンズ要素のアッベ数の値を示す。
【００４０】
なお、図９に示したレンズデータにおける接眼レンズ部分（面番号９以降）のデータは、基本的に図５（Ａ），（Ｂ）の実施例１に係るレンズデータと同じであり、接眼レンズ部分の性能は実施例１と同様である。ただし、図５（Ａ），（Ｂ）は接眼ズームレンズ単体でのデータであり、最もアイポイントＥ．Ｐ側の面を１番目として面番号を増加させているが、図９では逆に、最も物体側の面を１番目として面番号を増加させているので、面の順番が図５と図９とで互いに逆となっている。また、曲率半径Ｒｉの値が±逆になっている。
【００４１】
図２８（Ａ）〜（Ｄ）はそれぞれ、このフィールドスコープにおける低倍側での球面収差、非点収差、ディストーション、および倍率色収差を示している。図３０（Ａ）〜（Ｄ）はそれぞれ、中間焦点距離状態における同様の各収差を示している。図３２（Ａ）〜（Ｄ）はそれぞれ、高倍側における同様の各収差を示している。
図２９（Ａ）〜（Ｇ）は、このフィールドスコープにおける低倍側でのコマ収差を示している。特に図２９（Ａ）〜（Ｄ）はタンジェンシャル方向のコマ収差、図２９（Ｅ）〜（Ｇ）はサジタル方向のコマ収差を示す。図３１（Ａ）〜（Ｇ）はそれぞれ、中間焦点距離状態における同様のコマ収差を示している。図３３（Ａ）〜（Ｅ）はそれぞれ、高倍側における同様のコマ収差を示している。
各収差図には、ｄ線を基準波長とした収差を示すが、球面収差図および倍率色収差図には、Ｆ線（波長４８６．１ｎｍ），Ｃ線（波長６５６．３ｎｍ）についての収差も示す。非点収差図において、実線はサジタル方向、破線はタンジェンシャル方向の収差を示す。ＦＮＯ．はＦ値、ωは半画角を示す。
【００４２】
以上の各数値データおよび各収差図から分かるように、全体として諸収差が良好に補正されたフィールドスコープが実現できている。
【００４３】
なお、本発明は、上記実施の形態および各実施例に限定されず種々の変形実施が可能である。例えば、各レンズ成分の曲率半径、面間隔および屈折率の値などは、上記各数値実施例で示した値に限定されず、他の値をとり得る。
【図面の簡単な説明】
【００４４】
【図１】本発明の一実施の形態に係る接眼ズームレンズの第１の構成例を示すものであり、実施例１に対応するレンズ断面図である。
【図２】本発明の一実施の形態に係る接眼ズームレンズの第２の構成例を示すものであり、実施例２に対応するレンズ断面図である。
【図３】本発明の一実施の形態に係る接眼ズームレンズの第３の構成例を示すものであり、実施例３に対応するレンズ断面図である。
【図４】本発明の一実施の形態に係るフィールドスコープの一構成例を示すものであり、実施例４に対応するレンズ断面図である。
【図５】実施例１に係る接眼ズームレンズの諸データを示す図であり、（Ａ）は基本的なレンズデータ、（Ｂ）はその他のレンズデータを示す。
【図６】実施例２に係る接眼ズームレンズの諸データを示す図であり、（Ａ）は基本的なレンズデータ、（Ｂ）はその他のレンズデータを示す。
【図７】実施例３に係る接眼ズームレンズの諸データを示す図であり、（Ａ）は基本的なレンズデータ、（Ｂ）はその他のレンズデータを示す。
【図８】条件式に関する値を実施例１〜３についてまとめて示した図である。
【図９】実施例４に係るフィールドスコープのレンズデータを示す図である。
【図１０】実施例１に係る接眼ズームレンズの最長焦点距離状態（低倍側）における諸収差を示す収差図であり、（Ａ）は球面収差、（Ｂ）は非点収差、（Ｃ）はディストーション、（Ｄ）は倍率色収差を示す。
【図１１】実施例１に係る接眼ズームレンズの最長焦点距離状態（低倍側）におけるコマ収差を示す収差図である。
【図１２】実施例１に係る接眼ズームレンズの中間焦点距離状態における諸収差を示す収差図であり、（Ａ）は球面収差、（Ｂ）は非点収差、（Ｃ）はディストーション、（Ｄ）は倍率色収差を示す。
【図１３】実施例１に係る接眼ズームレンズの中間焦点距離状態におけるコマ収差を示す収差図である。
【図１４】実施例１に係る接眼ズームレンズの最短焦点距離状態（高倍側）における諸収差を示す収差図であり、（Ａ）は球面収差、（Ｂ）は非点収差、（Ｃ）はディストーション、（Ｄ）は倍率色収差を示す。
【図１５】実施例１に係る接眼ズームレンズの最短焦点距離状態（高倍側）におけるコマ収差を示す収差図である。
【図１６】実施例２に係る接眼ズームレンズの最長焦点距離状態（低倍側）における諸収差を示す収差図であり、（Ａ）は球面収差、（Ｂ）は非点収差、（Ｃ）はディストーション、（Ｄ）は倍率色収差を示す。
【図１７】実施例２に係る接眼ズームレンズの最長焦点距離状態（低倍側）におけるコマ収差を示す収差図である。
【図１８】実施例２に係る接眼ズームレンズの中間焦点距離状態における諸収差を示す収差図であり、（Ａ）は球面収差、（Ｂ）は非点収差、（Ｃ）はディストーション、（Ｄ）は倍率色収差を示す。
【図１９】実施例２に係る接眼ズームレンズの中間焦点距離状態におけるコマ収差を示す収差図である。
【図２０】実施例２に係る接眼ズームレンズの最短焦点距離状態（高倍側）における諸収差を示す収差図であり、（Ａ）は球面収差、（Ｂ）は非点収差、（Ｃ）はディストーション、（Ｄ）は倍率色収差を示す。
【図２１】実施例２に係る接眼ズームレンズの最短焦点距離状態（高倍側）におけるコマ収差を示す収差図である。
【図２２】実施例３に係る接眼ズームレンズの最長焦点距離状態（低倍側）における諸収差を示す収差図であり、（Ａ）は球面収差、（Ｂ）は非点収差、（Ｃ）はディストーション、（Ｄ）は倍率色収差を示す。
【図２３】実施例３に係る接眼ズームレンズの最長焦点距離状態（低倍側）におけるコマ収差を示す収差図である。
【図２４】実施例３に係る接眼ズームレンズの中間焦点距離状態における諸収差を示す収差図であり、（Ａ）は球面収差、（Ｂ）は非点収差、（Ｃ）はディストーション、（Ｄ）は倍率色収差を示す。
【図２５】実施例３に係る接眼ズームレンズの中間焦点距離状態におけるコマ収差を示す収差図である。
【図２６】実施例３に係る接眼ズームレンズの最短焦点距離状態（高倍側）における諸収差を示す収差図であり、（Ａ）は球面収差、（Ｂ）は非点収差、（Ｃ）はディストーション、（Ｄ）は倍率色収差を示す。
【図２７】実施例３に係る接眼ズームレンズの最短焦点距離状態（高倍側）におけるコマ収差を示す収差図である。
【図２８】実施例４に係るフィールドスコープの低倍側における諸収差を示す収差図であり、（Ａ）は球面収差、（Ｂ）は非点収差、（Ｃ）はディストーション、（Ｄ）は倍率色収差を示す。
【図２９】実施例４に係るフィールドスコープの低倍側におけるコマ収差を示す収差図である。
【図３０】実施例４に係るフィールドスコープの中間焦点距離状態における諸収差を示す収差図であり、（Ａ）は球面収差、（Ｂ）は非点収差、（Ｃ）はディストーション、（Ｄ）は倍率色収差を示す。
【図３１】実施例４に係るフィールドスコープの中間焦点距離状態におけるコマ収差を示す収差図である。
【図３２】実施例４に係るフィールドスコープの高倍側における諸収差を示す収差図であり、（Ａ）は球面収差、（Ｂ）は非点収差、（Ｃ）はディストーション、（Ｄ）は倍率色収差を示す。
【図３３】実施例４に係るフィールドスコープの高倍側におけるコマ収差を示す収差図である。
【符号の説明】
【００４５】
１０…接眼ズームレンズ、２０…正立プリズム、３０…対物レンズ、Ｇ１…第１レンズ群、Ｇ２…第２レンズ群、Ｇ３…第３レンズ群、Ｉ…対物像、Ｒｉ…物体側から第ｉ番目のレンズ面の曲率半径、Ｚ１…光軸。
【図１】
2006208559.tif 000003
【図２】
2006208559.tif 000004
【図３】
2006208559.tif 000005
【図４】
2006208559.tif 000006
【図５】
2006208559.tif 000007
【図６】
2006208559.tif 000008
【図７】
2006208559.tif 000009
【図８】
2006208559.tif 000010
【図９】
2006208559.tif 000011
【図１０】
2006208559.tif 000012
【図１１】
2006208559.tif 000013
【図１２】
2006208559.tif 000014
【図１３】
2006208559.tif 000015
【図１４】
2006208559.tif 000016
【図１５】
2006208559.tif 000017
【図１６】
2006208559.tif 000018
【図１７】
2006208559.tif 000019
【図１８】
2006208559.tif 000020
【図１９】
2006208559.tif 000021
【図２０】
2006208559.tif 000022
【図２１】
2006208559.tif 000023
【図２２】
2006208559.tif 000024
【図２３】
2006208559.tif 000025
【図２４】
2006208559.tif 000026
【図２５】
2006208559.tif 000027
【図２６】
2006208559.tif 000028
【図２７】
2006208559.tif 000029
【図２８】
2006208559.tif 000030
【図２９】
2006208559.tif 000031
【図３０】
2006208559.tif 000032
【図３１】
2006208559.tif 000033
【図３２】
2006208559.tif 000034
【図３３】
2006208559.tif 000035